(57)【要約】【課題】  肩からのずり落ち防止や、襟首の防寒、日焼け防止ができ、和服に対しては着用法を変えることでたすきの機能を併せ持たせることができ、構造簡単、作製容易なショール。【解決手段】  ショール１は、長手方向両端部に該両端部を半幅に折り重さねて縫合した手を通す筒部２を有するショール本体３と、本体３の長手方向中央部の一側に連設した紐部４とからなり、本体３と紐部４とは、両手先端近くに達する長さの長方形の布地の一側に沿って両端から連設部４ａの両端に接する位置まで切り込みを入れて、布地に連設状態に区画したものである。ショール１は、紐部４を上側にして身体に背中から羽織り、本体３を肩から腕に掛け、紐部４の連設部４ａを襟首に掛け、本体３の両端部の筒部２に手を通し、紐部４の両端の自由端４ｂを胸の前に回して結ぶようにする。【選択図】  図１
2006348404.tif 000002
【特許請求の範囲】
【請求項１】
両手先端近くに達する長さを持つ長方形の布地の長手方向両端部に、該両端部を半幅に折り重ね、その重ね合わせ端を縫合して手を通す筒部を形成したショール本体と、該ショール本体の長手方向中央部の一側に連設した、ショール本体の長手方向に伸びる細幅の布地からなる紐部とで構成したことを特徴とするショール。
【請求項２】
両手先端近くに達する長さを持つ長方形の布地の長手方向の一側に沿って、長手方向両端から中央部に向けて細幅の切込みを入れることによって、該布地に前記ショール本体と前記紐部とを連設状態に区画したことを特徴とする請求項１記載のショール。
【請求項３】
前記布地がニットであることを特徴とする請求項１または２項記載のショール。
【発明の詳細な説明】
【技術分野】
【０００１】
本発明は、肩からのずり落ちを防止できるとともに、和服に使用する場合には着用法を変えることによってたすきの機能を持たせることができる等、多用途の使用が可能なショールに関する。
【背景技術】
【０００２】
ショールは肩から腕に掛けるだけの状態で着用するため、歩いたりしているとずれていって、肩から落ちてしまうことがある。また風が強い日などには、ショールを手で掴んでないと、吹き飛ばされてしまうことがある。
【０００３】
従来、肩からのずり落ちや風による吹き飛びを防止したショールとして、該ショールの長手方向の一側の一端側にボタンを取り付け、他端側にボタン穴を設けて、肩から掛けたショールを身体の前側でボタンで留めるものが知られている（例えば特許文献１を参照）。
【０００４】
この提案では、ショールをボタンで留めるので、肩からのずり落ちや風による吹き飛びを防ぐことができる。しかしながら、そのために、ショールにボタンの取り付けとボタン穴の加工をしなければならない面倒があり、ショールの作製に手間がかかる。また襟首を覆うようにショールを掛けても、ショールを襟首に掛けた状態に保持する機能がないので、歩いたりしているうちにショールがずれて襟首が露出し、襟首の防寒や襟首が日に曝されることによる日焼け防止をすることができない。さらに和服の上から着用する場合に、ショールに和服の袖を背中側に手繰り寄せるたすきの機能があれば、和服姿で手を動かして簡単な作業をする際に便利であるが、上記提案の構造のショールはたすきの機能を併せ持っていない。
【特許文献１】実用新案登録第３０７１１８８号
【発明の開示】
【発明が解決しようとする課題】
【０００５】
したがって、本発明の課題は、肩からのずり落ちを防止できるとともに、襟首の防寒や日焼け防止をすることができ、和服に対しては着用法を変えることによってたすきの機能を併せ持たせることができる等、多用途の使用が可能で、しかも構造が簡単で作製するのが容易なショールを提供することである。
【課題を解決するための手段】
【０００６】
上記課題を達成するために、本発明のショールは、両手先端近くに達する長さを持つ長方形の布地の長手方向両端部に、該両端部を半幅に折り重ね、その重ね合わせ端を縫合して手を通す筒部を形成したショール本体と、該ショール本体の長手方向中央部の一側に連設した、ショール本体の長手方向に伸びる細幅の布地からなる紐部とで構成したことを特徴とする。
【０００７】
本発明のショールは、長手方向両端部に手を通す筒部を有するショール本体と、該ショール本体の一側に連設された紐部とからなり、その筒部も、ショール本体の長手方向両端部を半幅に折り重ね、縫合することによって形成するので、ショールの構造が簡単で作製も容易である。
【０００８】
本発明において、ショール本体と紐部とは、縫い合わせることによって連設することもできるが、ショールに使用する布地の長手方向の一側に沿って、長手方向両端から中央部に向けて細幅の切込みを入れるようにすれば、該布地にショール本体と紐部とを連設状態に区画することができ、ショールの作製がより容易になる。ショール本体と紐部の布地は、同一でも異なるものでもよいが、ショールに好適に使用できるものならばいずれも可能であり、例えばニット（編物）が好適に使用できる。
【０００９】
本発明のショールの典型的な着用法は、紐部を上側にしてショールを背中から羽織り、ショール本体を肩から腕に掛け、紐部を襟首に掛けて、ショール本体の両端部の筒部に手を通し、紐部の両端部を胸の前に回して結ぶようにする。このように着用したショールによれば、胸の前で結んだ紐部と、手を通したショール本体の筒部により、ショールを身体にしっかりと保持することができるので、歩いたりしてもショールがずれて肩から落ちたりすることも、風が強い日などにショールが吹き飛ばされたりすることもない。また襟首に掛けた紐部もずれることがないので、襟首の露出を防いで襟首の防寒や日焼け防止をすることができる。勿論、ショール本体が手に達する長さを有するので、身体の上部ばかりでなく、手および腕を寒さから保護することができる。
【００１０】
本発明のショールを和服に使用する場合、上記の着用法でもよいが、ショールを上下逆さまにし、紐部を下側にして着用すると便利である。この場合、背中からショールを羽織って、ショール本体を肩から腕に掛け、ショール本体の長手方向両端部の筒部に手を通す点は、ショールが上下逆さまである点を除き同じである。ショールの下側の紐部は、背中から脇を通って袖の前側に出し、袖を１週して絡げて後側に出し、後側に出した紐部を引っ張って袖を背中側に手繰り寄せて紐部を背中で結ぶ。このように着用したショールによれば、背中で結んだ紐部と、手を通したショール本体の筒部により、ショールを身体にしっかりと保持することができ、また紐部にたすきの機能を持たせて、袖を背中側に手繰り寄せることができるので、和服姿で手を動かして簡単な作業をする際に便利である。
【発明の効果】
【００１１】
本発明のショールによれば、肩からのずり落ちを防止できるとともに、襟首の防寒や日焼け防止をすることができ、和服に対しては着用法を変えることによってたすきの機能を併せ持たせることができる等、多用途の使用が可能で、しかも構造が簡単で作製するのも容易である。
【発明を実施するための最良の形態】
【００１２】
以下、図面を参照して本発明の実施例を詳述する。図１は、本発明のショールの一実施例を示す平面図である。
【００１３】
図１に示すように、本実施例において、ショール１は、長手方向両端部に手を通す筒部２を有するショール本体３と、該ショール本体３の長手方向中央部の一側に連設した紐部４とからなっている。ショール本体３は、両手先端近くに達する長さの長方形の布地からなり、その長手方向両端部を半幅に折り重ねて、重ね合わせ端３ａを紐部４のショール本体４との連設部４ａより手前の位置まで長手方向に縫合することによって、ショール本体３の両端部に前記の筒部２を形成している。紐部４は、ショール本体３の長手方向中央部の一側に連設した細幅の布地からなり、紐部４の連設部４ａの両側の自由端４ｂは、ショール本体３の長手方向両端位置まで伸びている。連設部４ａは、身体の半周ないしはこれを若干超える長さに採る。
【００１４】
本実施例のショール１の各部の寸法の一例を挙げれば、ショール本体３の長さが１８００ｍｍ、幅が３７０ｍｍ、筒部２の縫い合わせ長さ（重ね合わせ端３ｂの長さ）が２３０ｍｍ、筒部２の周長（ショール本体３の幅に同じ）が３７０ｍｍであり、紐部４の長さ（ショール本体３に同じ）が３７０ｍｍ、幅が５０ｍｍ、連設部４ａの長さが８６０ｍｍ、自由端４ｂの長さが４７０ｍｍである。この数値は一例であり、適宜増減することができる。
【００１５】
紐部４はショール本体３と別体に作製して、紐部４を連設部４ａでショール本体３と縫い合わせてもよいが、本実施例では、図２に示すように、所要の布地５の長手方向の一側に沿って連設部４ａの両端に接する位置まで細幅の切込み５ａを入れて、該布地５にショール本体３と紐部４とを連設状態に区画した。こうすることにより、ショール１を極めて簡単に作製することができる。
【００１６】
ショール本体３と紐部４は、ショールに使用する布地ならばいずれでも可能であるが、好適にはニット（編物）がよく、本実施例でもニットとした。なお、ショール本体３と紐部４とは異なる布地であってもよく、その場合は、縫い合わせることによって紐部４をショール本体３に設ける。
【００１７】
本発明のショールの典型的な着用法は、図３（ａ）、（ｂ）に示すように、紐部４を上側にしてショール１を身体に背中から羽織り、ショール本体３を肩から腕に掛け、紐部４の連設部４ａを襟首に掛けて、ショール本体３の両端部の筒部２に手を通し、紐部４の両端の自由端４ｂを胸の前に回して結ぶようにする。このように着用したショール１によれば、ショール本体３が手に達する長さを有するので、身体の上部ばかりでなく、手および腕を寒さから保護することができる。また胸の前で結んだ紐部４と、手を通したショール本体３の筒部２により、ショール１を身体にしっかりと保持することができるので、歩いたりしてもショール１がずれて肩から落ちたりすることも、風が強い日などにショール１が吹き飛ばされたりすることもない。さらに襟首に掛けた紐部４もずれることがないので、襟首の露出を防いで襟首の防寒や日焼け防止をすることができる。
【００１８】
上記の着用法は洋服、和服のいずれにも適用できるが、和服に使用する場合には、ショール１を上下逆さまにし、紐部４を下側にして着用すると便利である。本例の着用法の場合、図４（ａ）、（ｂ）に示すように、背中からショール１を羽織って、ショール本体３を肩から腕に掛け、ショール本体３の筒部２に手を通す点は、襟首に紐部４が掛からない点を除き図３の場合と同じである。本例の着用法では、ショール１の下側の紐部４は、自由端４ｂを背中から脇を通って和服６の袖６ａの前側に出し、袖６ａを１週して絡げて後側に出し、後側に出した自由端４ｂを引張り、袖６ａを背中側に手繰り寄せて自由端４ｂを背中で結ぶ。このように着用したショール１によれば、背中で結んだ紐部４と、手を通したショール本体３の筒部２により、ショール１を身体にしっかりと保持することができ、また紐部４にたすきの機能を持たせて、袖６ａを背中側に手繰り寄せることができるので、和服姿で手を動かして簡単な作業をする際に便利である。
【図面の簡単な説明】
【００１９】
【図１】本発明のショールの一実施例を示す平面図である。
【図２】図１のショールの作成法の一例を示す平面図である。
【図３】図１のショールの着用法を示す説明図で、ショールを着用した姿を前から見た図（ａ）と後から見た図（ｂ）である。
【図４】図１のショールの和服への着用法を示す説明図で、ショールを着用した姿を前から見た図（ａ）と後から見た図（ｂ）である。
【符号の説明】
【００２０】
１    ショール                        ２    筒部
３    ショール本体                    ４    紐部
４ａ  連設部                          ４ｂ  自由端
６    和服                            ６ａ  袖
【図１】
2006348404.tif 000003
【図２】
2006348404.tif 000004
【図３】
2006348404.tif 000005
【図４】
2006348404.tif 000006